(57)【要約】【課題】ケーシングに吸込グリルを取り付ける際の、吸込グリルの位置決めを容易に行う。【解決手段】本発明の空気調和装置の室外機１００は、少なくとも底フレーム３３を有するケーシング３と、ケーシング３に形成された空気の吸い込み口に取り付けられる吸込グリル２とを有する。吸込グリル２は、吸込グリル本体２１と、吸込グリル本体２１を吸込グリル本体２１の面方向に平行な方向に位置決めするための、吸込グリル本体２１の下端に設けられた位置決め手段２２とを含む。そして、位置決め手段２２は、吸込グリル２の幅方向に沿って設けられた爪２２ｂ１、２２ｂ２を有し、爪２２ｂ１、２２ｂ２が、ケーシング３の底フレーム３３に突出するように設けられた特定の突出部３３ａ、３３ｂに係合することにより吸込グリル２が吸込グリル本体２１の面方向に平行な方向に位置決めされる。【選択図】図４
2009145018.tif 000002
【特許請求の範囲】
【請求項１】
少なくとも底フレームを有するケーシングと、
該ケーシングに形成された空気の吸い込み口に取り付けられる吸込グリルとを有し、
前記吸込グリルは、
吸込グリル本体と、
該吸込グリル本体を前記吸込グリル本体の面方向に平行な方向に位置決めするための、前記吸込グリル本体の下端に設けられた位置決め手段とを含み、
前記位置決め手段は、前記吸込グリルの幅方向に沿って設けられた爪を有し、
前記爪が、前記ケーシングの底フレームに突出するように設けられた特定の突出部に係合することにより前記吸込グリルが前記吸込グリル本体の面方向に平行な方向に位置決めされる空気調和装置の室外機。
【請求項２】
前記爪が、前記吸込グリル本体の下端に複数設けられ、前記複数の爪で前記突出部を挟み込むことにより前記吸込グリルが位置決めされる請求項１記載の空気調和装置の室外機。
【請求項３】
前記突出部が、前記ケーシングの底フレームに前記爪を挟み込むような間隔を空けて複数設けられている請求項１記載の空気調和装置の室外機。
【請求項４】
前記位置決め手段が、前記吸込グリルの下端にのみ設けられている請求項１〜３のいずれかに記載の空気調和装置の室外機。
【請求項５】
前記突出部は、前記ケーシングの内部に収容される熱交換器を、前記ケーシング内の水平方向の所定の位置に位置決め可能に設けられているものである請求項１〜４のいずれかに記載の空気調和装置の室外機。
【請求項６】
前記底フレームの底部と、この底部から直立する板状の立設部が形成され、
前記突出部は、前記立設部に沿って設けられ、
前記複数の爪は、前記吸込グリル本体の下端から下方へ突出するように設けられ、
前記複数の爪のうち、前記吸込グリル本体の幅方向に隣り合う爪は、前記立設部を挟み込むように設けられている請求項２、４、５のいずれかに記載の空気調和装置の室外機。
【請求項７】
前記吸込グリル本体には、該吸込グリル本体を前記熱交換器に係止させるための係止手段が設けられている請求項１〜６のいずれかに記載の空気調和装置の室外機。
【請求項８】
空気調和装置の室外機のケーシングに形成された空気の吸込み口を覆うように取り付けられる吸込グリルであって、
吸込グリル本体と、
前記吸込グリル本体の下端に、前記吸込グリル本体を、前記吸込グリル本体の面方向に平行な方向に位置決めするための位置決め手段とを有し、
前記位置決め手段は、前記吸込グリル本体の下端に、前記吸込グリルの幅方向に沿って設けられた爪を有し、
前記爪が、前記ケーシングの底フレームに突出するように設けられた特定の突出部に係合することにより前記吸込グリルが前記吸込グリル本体の面方向に平行な方向に位置決めされることを特徴とする吸込グリル。
【請求項９】
前記爪が、前記吸込グリル本体の下端に複数設けられ、前記複数の爪で前記突出部を挟み込むことにより位置決めされる請求項８記載の吸込グリル。
【請求項１０】
前記爪が、前記ケーシングの底フレームに前記爪を挟み込むような間隔を空けて設けられた複数の前記突出部の間に挿入されて、前記突出部と係合する請求項８記載の吸込グリル。
【発明の詳細な説明】
【技術分野】
【０００１】
本発明は、室内の温度や風量を調整する空気調和装置の室外機および該空気調和装置の室外機に用いられる吸込グリルに関する。
【背景技術】
【０００２】
近年、室内の温度や風量を調整することによって、室内を快適な状態に保つ空気調和装置が使用されている。空気調和装置は、主に、室内に設置される室内機と、室内機に連結され、室外に設置される室外機とから構成されている。室外機には、その内部に熱交換器が設けられ、熱交換器から外気に対して、熱のやりとりが行われる。室外機のケーシングには、外気の吸い込み口が形成され、この吸い込み口を経て室外機の内部に空気が出入りする。そして、吸い込み口には、ケーシング内に収められた機器を保護し、かつ、使用者の安全を確保するための、格子状の吸込グリルが、吸い込み口を覆うように取り付けられている（特許文献１参照）。特許文献１では、吸込グリルの上端に設けられた爪部を、ケーシングの天板に形成された嵌合孔に嵌め込むことにより、吸込グリルがケーシング対して所定の位置に固定されている。
【特許文献１】特開２００４−２５１６０１号公報
【発明の開示】
【発明が解決しようとする課題】
【０００３】
しかしながら、このような吸込グリルの位置決め作業は、ケーシングに形成された複数の嵌合孔の位置と吸込グリルの各爪部との位置合わせを、吸込グリルを持ち上げながら目視で確認して行わなければならない。
【０００４】
本発明は、上記従来の問題に鑑みてなされたものであり、ケーシングに吸込グリルを取り付ける際の、吸込グリルの位置決めを容易に行うことができる空気調和装置の室外機および該空気調和装置に用いられる吸込グリルを提供することを目的としている。
【課題を解決するための手段】
【０００５】
本発明の空気調和装置の室外機は、少なくとも底フレームを有するケーシングと、該ケーシングに形成された空気の吸い込み口に取り付けられる吸込グリルとを有し、前記吸込グリルは、吸込グリル本体と、該吸込グリル本体を前記吸込グリル本体の面方向に平行な方向に位置決めするための、前記吸込グリル本体の下端に設けられた位置決め手段とを含み、前記位置決め手段は、前記吸込グリルの幅方向に沿って設けられた爪を有し、前記爪が、前記ケーシングの底フレームに、突出するように設けられた特定の突出部に係合することにより前記吸込グリルが前記吸込グリル本体の面方向に平行な方向に位置決めされる。この発明によれば、吸込グリルを底フレームに置いたときに、吸込グリル本体の下端に設けられた位置決め手段の爪が、底フレームに設けられた突出部に係合し、吸込グリルの位置決めがなされるので、吸込グリルをケーシングに取り付ける際に、吸込グリルを持ち上げながら位置決めを行う必要がない。すなわち、吸込グリルを上方から下方へ向けてケーシング上に載置するだけで、ケーシングに対する吸込グリルの位置決めを容易に行うことができる。したがって、組み立て時やメンテナンス時の吸込グリルの取り付け作業を効率よく行うことができる。また、爪という単純な構造の位置決め手段で、吸込グリルの位置決めが可能である。しかも、位置決め手段は単純な構造であるが故に、破損し難い。
【０００６】
また、前記爪が、前記吸込グリル本体の下端に複数設けられ、前記複数の爪で前記突出部を挟み込むことにより前記吸込グリルが位置決めされることが好ましい。この発明によれば、吸込グリル本体の下端に設けられた位置決め手段の複数の爪が、底フレームに設けられた突出部を挟み込み、吸込グリルの位置決めがなされる。
【０００７】
また、前記突出部が、前記ケーシングの底フレームに前記爪を挟み込むような間隔を空けて複数設けられていることが好ましい。この発明によれば、吸込グリルを底フレームに置いたときに、吸込グリル本体の下端に設けられた位置決め手段の爪が、底フレームに設けられた複数の突出部の間に挟み込まれ、吸込グリルの位置決めがなされる。
【０００８】
また、前記位置決め手段が、前記吸込グリルの下端にのみ設けられていることが好ましい。この発明によれば、吸込グリルの位置決め作業を、吸込グリルの下端でのみ行うので、吸込グリルの下端に加えて、側部や上端においても位置決めを行う場合より、吸込グリルの取り付け作業をさらに効率よく行うことができる。
【０００９】
また、前記突出部は、前記ケーシングの内部に収容される熱交換器を、前記ケーシング内の水平方向の所定の位置に位置決め可能に設けられているものであることが好ましい。この発明によれば、突出部で熱交換器をケーシング内で位置決するとともに、吸込グリルをもケーシングに対して位置決めすることができる。
【００１０】
また、前記底フレームの底部と、この底部から直立する板状の立設部が形成され、前記突出部は、前記立設部に沿って設けられ、前記複数の爪は、前記吸込グリル本体の下端から下方へ突出するように設けられ、前記複数の爪のうち、前記吸込グリル本体の幅方向に隣り合う爪は、前記立設部を挟み込むように設けられていることが好ましい。この発明によれば、吸込グリルを上方から下方へ降ろすだけで、底フレームの立設部は、吸込グリルの位置決め手段の互いに隣り合う爪で挟持され、吸込グリル本体が、ケーシングに取り付けられる。したがって、位置決め手段で、吸込グリルをケーシングの底フレームに対して直立した状態に保つこともできる。
【００１１】
また、前記吸込グリル本体には、該吸込グリル本体を前記熱交換器に係止させるための係止手段が設けられていることが好ましい。この発明によれば、係止手段が熱交換器に係止されることにより、吸込グリルは、ケーシングに対して直立した状態であって、かつ、位置決めされた状態に、位置決め手段のみで直立させた場合より確実に保持することができる。
【００１２】
本発明の吸込グリルは、空気調和装置の室外機のケーシングに形成された空気の吸込み口を覆うように取り付けられる吸込グリルであって、吸込グリル本体と、前記吸込グリル本体の下端に、前記吸込グリル本体を、前記吸込グリル本体の面方向に平行な方向に位置決めするための位置決め手段とを有し、前記位置決め手段は、前記吸込グリル本体の下端に、前記吸込グリルの幅方向に沿って設けられた爪を有し、前記爪が、前記ケーシングの底フレームに、突出するように設けられた特定の突出部に係合することにより前記吸込グリルが前記吸込グリル本体の面方向に平行な方向に位置決めされることを特徴とする。
【００１３】
また、前記爪が、前記吸込グリル本体の下端に複数設けられ、前記複数の爪で前記突出部を挟み込むことにより位置決めされることが好ましい。
【００１４】
また、前記爪が、前記ケーシングの底フレームに前記爪を挟み込むような間隔を空けて設けられた複数の前記突出部の間に挿入されて、前記突出部と係合することが好ましい。
【発明の効果】
【００１５】
本発明によれば、ケーシングに吸込グリルを取り付ける際の、吸込グリルの位置決めを容易に行うことができる。
【発明を実施するための最良の形態】
【００１６】
本発明の空気調和装置の室外機は、少なくとも底フレームを有するケーシングと、そのケーシングに形成された空気の吸い込み口に取り付けられる吸込グリルとを有する。そして、吸込グリルは、吸込グリル本体と、その吸込グリル本体を吸込グリル本体の面方向に平行な方向に位置決めするための、前記吸込グリル本体の下端に設けられた位置決め手段とを含む。位置決め手段は、吸込グリル本体の下端から下方へ突出するように、吸込グリルの幅方向に沿って設けられた複数の爪を有し、その複数の爪が、底フレームからケーシングの内側に突出するように設けられた特定の突出部を挟み込む。これにより、吸込グリルは吸込グリル本体の面方向に平行な方向に位置決めされる。本発明は、吸込グリルを位置決めするための位置決め手段を吸込グリル本体の下端に設けることによって、吸込グリルをケーシングの所定の位置に、より容易に位置決めするものである。
【００１７】
以下で、本発明の空気調和装置の室外機および該空気調和装置の室外機に用いられる吸込グリルについて、図面を用いて詳細に説明する。
【００１８】
（実施の形態１）
図１は、実施の形態１の空気調和装置の室外機１００を説明するための斜視図である。実施の形態１の空気調和装置の室外機１００は、図１に示されるように、熱交換器、圧縮機、室外ファンおよび制御部等を内部に収容するケーシング３と、ケーシング３の側部の開口（外気の吸い込み口）を塞ぐように取り付けられる吸込グリル２とから構成されている。
【００１９】
ケーシング３は、金属製の薄板からなり、室外機１００の上部を略水平に覆う天板３１と、天板３１の水平面に対して略垂直に設けられた側板３２と、側板３２の下端に設けられ、略水平な状態で室外機１００の内部に収容される機器を支持する底フレーム３３とを含む。
【００２０】
なかでも、底フレーム３３には、底フレーム３３の底部（略水平に設けられた面）から直立するように設けられた板状の立設部３３ｃと、立設部３３ｃに沿って、ケーシング３の内方へ向かって突出するように形成された２つのリブ（突出部）３３ａ、３３ｂとが設けられている。このリブ３３ａ、３３ｂは、本来、ケーシング３内に収容される熱交換機Ｔを水平方向に位置決めするために設けられたものであるが、本実施の形態では、このリブ３３ａ、３３ｂを活用して吸込グリル２の位置決めをも行う。このように、従来からケーシング３の底フレーム３３に設けられているリブを活用することにより、熱交換器をケーシング３内で位置決めするとともに、吸込グリル２の位置決めをも行うことができる。また、吸込グリル２の位置決めのために、改めて底フレーム３３に突出部を形成する必要がなく、従来の底フレーム３３をそのまま利用することができる。
【００２１】
図２は、実施の形態１の空気調和装置の室外機１００に設けられる合成樹脂製の吸込グリル２を説明するための正面図である。以下では、吸込グリル２をケーシング３に取り付けた際の、吸込グリル２の幅方向をＸ方向、吸込グリル２の前後方向をＹ方向、吸込グリル２の上下方向をＺ方向として説明する。吸込グリル２は、図２に示されるように、ケーシング３の内部に収容された機器および使用者を保護するための防護用の柵として機能する吸込グリル本体２１と、吸込グリル本体２１をケーシング３に対して吸込グリル本体２１の面方向に平行な方向に位置決めする位置決め手段２２と、吸込グリル本体２１を底フレーム３３に対して直立した姿勢で固定する係止手段２３とを含む。
【００２２】
吸込グリル本体２１は、正面視で、略長方形状を呈している（図２参照）。また、吸込グリル本体２１は、平面的な広がりを持つ格子状に成形されており、ケーシング３の外部から内部へ空気を通過させつつ、ケーシング３の内部と外部とを隔てている。
【００２３】
位置決め手段２２は、吸込グリル本体２１の下端から下方へ突出するように設けられた３枚の爪（複数の爪）を有する。具体的には、吸込グリル本体２１の方向（Ｘ方向）に沿って、２枚の第１係合爪２２ｂ１、２２ｂ２と、第２係合爪２２ａとが形成されている。第２係合爪２２ａは、吸込グリル２を正面から見たときに（図２の状態）、２枚の第１係合爪２２ｂ１および２２ｂ２の間に位置するように配置されている。位置決め手段２２をこのような単純な構造にすることで、吸込グリル２の取り付け時に、位置決め手段２２の破損を防ぐことができる。そして、作業者が、吸込グリル２を底フレーム３３に取り付ける際に、作業者は、位置決め手段２２の破損などに注意を注ぐ必要がない。したがって、取り付け作業の作業効率が向上し、これに伴って、製造効率を向上させることができる。
【００２４】
図３〜５は、底フレーム３３に吸込グリル２を位置決めする方法を説明するための図である。図３の（ａ）は図１のＩ部を拡大したものであり、底フレーム３３に対して吸込グリル２を位置決めする前の状態を説明するための正面図、（ｂ）は（ａ）をＡ−Ａ位置で切断した断面図である。図４の（ａ）は図１のＩ部を拡大したものであり、底フレーム３３に対して吸込グリル２が位置決めされた状態を説明するための正面図、（ｂ）は（ａ）をＢ−Ｂ位置で切断した断面図である。図５は、底フレーム３３に吸込グリル２を位置決めする際の図であり、底フレーム３３に形成されたリブ３３ａ、３３ｂと吸込グリル２に設けられた位置決め手段２２とをケーシング３の内側から見た状態を示している。
【００２５】
２つの第１係合爪２２ｂ１および第１係合爪２２ｂ２は、吸込グリル本体２１の下端に、Ｘ方向に所定の間隔ｄ１を空けて設けられている。２つの第１係合爪２２ｂ１および第１係合爪２２ｂ２の間隔ｄ１は、上述の底フレーム３３に形成された２つのリブ３３ａおよびリブ３３ｂのＸ方向の距離（Ｘ方向に最も離れた位置にある面の間の距離）にほぼ等しく設定されている（図３（ａ）参照）。このように、リブ３３ａおよびリブ３３ｂの間のＸ方向の距離と、２つの第１係合爪２２ｂ１および第１係合爪２２ｂ２との間隔ｄ１とをほぼ等しく設定することで、吸込グリル２を底フレーム３３上に載置した際に、吸込グリル２の第１係合爪２２ｂ１が底フレーム３３のリブ３３ａに係合し、吸込グリル２の第２係合爪２２ｂ２が底フレーム３３のリブ３３ｂに係合する（図４（ａ）参照）。これにより、吸込グリル２は、Ｘ方向への移動を規制され、Ｘ方向の所定の位置に位置決めされる。
【００２６】
仮に、吸込グリル２を底フレーム３３上に載置するときに、吸込グリル２が所定の位置からＸ方向に若干ずれた状態で載置されたとしても、２つの第１係合爪２２ｂ１または第１係合爪２２ｂ２のうちいずれか一方が底フレーム３３のリブ３３ａまたはリブ３３ｂの上面に載ってしまい、吸込グリル２のＸ方向の位置決めは行われない。このような場合には、作業者は吸込グリル２を持ち上げなくても第１係合爪２２ｂ１、２２ｂ２の下端をリブ３３ａ、３３ｂの上面に載せたまま、第１係合爪２２ｂ１と第１係合爪２２ｂ２との間にリブ３３ａおよびリブ３３ｂが嵌り合う位置まで、吸込グリル２をＸ方向に移動させればよい。作業者は、吸込グリル２が底フレーム３３上の所定の位置に位置決めされ、取り付けられるまでの一連の作業を、吸込グリル２を底フレーム３３上に載置した時点で、直ちに手応えで確認しながら行うことができるので、目視で確認しながら位置決めを行う場合よりも作業効率がよく、製造効率を向上させることができる。
【００２７】
また、第１係合爪２２ｂ１、２２ｂ２とこれらの第１係合爪２２ｂ１、２２ｂ２にＸ方向に隣り合う爪（すなわち、第２係合爪２２ａ）は、立設部３３ｃを挟み込むように設けられている。具体的には、第１係合爪２２ｂ１、２２ｂ２は、上述の底フレーム３３に形成された立設部３３ｃの内側面に接するように設けられ、第２係合爪２２ａは、立設部３３ｃの外側面に接するように設けられている（図３（ｂ）、図４（ｂ）参照）。言い換えれば、第１係合爪２２ｂ１、２２ｂ２および第２係合爪２２ａとの間に、吸込グリル本体２１の前後方向（Ｙ方向）に、立設部３３ｃの厚さに相当する間隔ｄ２が設けられていることになる。したがって、吸込グリル２が底フレーム３３に載置された状態では、３つの爪２２ｂ１、２２ｂ２、２２ａは底フレーム３３に形成された立設部３３ｃを挟持して、吸込グリル本体２１を直立した状態に支持する。
【００２８】
さらに、第１係合爪２２ｂ１、２２ｂ２および第２係合爪２２ａは、吸込グリル本体２１の下端からＺ方向に下側に向かって所定の長さだけ突出するように設けられている。吸込グリル２の位置決めおよび取り付け時には、第１係合爪２２ｂ１、２２ｂ２および第２係合爪２２ａの先端が、底フレーム３３の底部に当接する位置まで、吸込グリル２は作業者によって押し下げられる。本実施の形態では、位置決め手段２２のＺ方向の長さを立設部３３ｃの高さとほぼ同一になるように設定しているが、たとえば、吸込グリル本体２１をもう少し高い位置に固定したい場合には、第１係合爪２２ｂ１、２２ｂ２および第２係合爪２２ａのＺ方向の長さをより長く設定する。このように、位置決め手段２２のＺ方向の長さを任意に設定することにより、簡素な構造の位置決め手段２２で吸込グリル２のＺ方向の位置決めをも行うことができる。
【００２９】
図６は、図１のII部を拡大したものであって、吸込グリル２に設けられた係止手段２３を説明するための図であり、（ａ）はケーシング３内に収められた熱交換器の伝熱管ｃ１、ｃ２の間に係止手段２３を嵌め込んだ状態を説明するための斜視図、（ｂ）は熱交換器の伝熱管ｃ１、ｃ２の間に係止手段２３を嵌めこむ際の係止手段２３の状態を説明するための図、（ｃ）は熱交換器の伝熱管ｃ１、ｃ２の間に係止手段２３を嵌め込んだ状態を説明するための図である。
【００３０】
係止手段２３は、図６（ａ）、（ｂ）、（ｃ）に示されるように、吸込グリル本体２１の垂直方向に延びた部材の中間部に、吸込グリル本体２１と一体に設けられている。また、係止手段２３は、ケーシング３の内方へ向けて突出するように形成されている。係止手段２３は、図６（ｂ）、（ｃ）に示されるように、係止部２３ａ、２３ｂと、これらの係止部２３ａおよび係止部２３ｂとを吸込グリル本体２１に連結するための連結部２３ｃとから構成されている。それぞれの係止部２３ａ、２３ｂには、当接面２３ａ１および２３ｂ１と、移動面２３ａ２および２３ｂ２と、係止面２３ａ３および２３ｂ３とが形成されている。
【００３１】
係止手段２３の係止部２３ａ、２３ｂが、熱交換器の上下方向に隣接する伝熱管ｃ１、ｃ２の間に挿入されると、伝熱管ｃ１は、係止部２３ａの当接面２３ａ１、移動面２３ａ２、係止面２３ａ３の面に沿って通過し、伝熱管ｃ２は、係止部２３ｂの当接面２３ｂ１、移動面２３ｂ２、係止面２３ｂ３の面に沿って通過する。そして、伝熱管ｃ１およびｃ２が、移動面２３ａ２、２３ｂ２を通過する際には、係止部２３ａ、２３ｂが互いに接近するように変形し、伝熱管ｃ１、ｃ２が移動面２３ａ２、２３ｂ２を通過し、係止面２３ａ３、２３ｂ３に達すると、係止部２３ａ、２３ｂは元の状態に戻る。したがって、伝熱管ｃ１、ｃ２は、係止手段２３の係止部２３ａ、２３ｂに係合した状態になり、吸込グリル本体２１は、底フレーム３３に対して略直立した姿勢で保持される。
【００３２】
以上の実施の形態によれば、吸込グリル２を吸込グリル本体２１の面方向に位置決めするための位置決め手段２２が、吸込グリル本体２１の下端に形成されている。これにより、ケーシング３の吸い込み口に吸込グリル２を位置決めおよび取り付ける際に、吸込グリル２を持ち上げた状態で位置決めを行う必要がなく、吸込グリル２を底フレーム３３の上方から底フレーム３３上に載置するだけで、作業者が特別な注意を払わなくても手応えで確認しながら吸込グリル２が底フレーム３３上の所定の位置に位置決めされる。したがって、ケーシング３に吸込グリル２を取り付ける際の、吸込グリル２の位置決めを容易に行うことができ、室外機１００の組み立て時や、メンテナンス時の吸込グリル２の取り付け作業を効率よく行うことができる。
【００３３】
なお、上記実施の形態では、底フレーム３３に形成された２つのリブ３３ａ、３３ｂに位置決め手段２２を係合させて位置決めする形態について説明したが、本発明はこれに限定されるものではなく、位置決め手段を１つのみのリブに係合させて位置決めしてもよく、位置決め手段を３つ以上のリブに係合させて位置決めしてもよい。
【００３４】
また、上記実施の形態では、吸込グリル本体２１に係止手段２３および位置決め手段２３を設け、係止手段２３および位置決め手段２２を用いて、吸込グリル２が直立した姿勢で底フレーム３３および熱交換器により保持されている形態について説明したが、本発明はこれに限定されるものではなく、吸込グリル本体に係止手段を設けず、位置決め手段のみを用いて、吸込グリル本体を直立した姿勢で保持する形態であってもよく、第１係合爪と第２係合爪とで立設部を挟持させずに、係止手段のみで吸込グリル本体を直立した姿勢に保持する形態であってもよい。
【００３５】
また、上記実施の形態では、係止手段２３を熱交換器の伝熱管ｃ１、ｃ２に係合させた形態について説明したが、本発明はこれに限定されるものではなく、係止手段を熱交換器のフィンに係合させる形態であってもよい。
【００３６】
また、上記実施の形態では、２枚の第１係合爪２２ｂ１、２２ｂ２が立設部３３ｃの内側になるように、第２係合爪２２ａが立設部３３ｃの外側になるように吸込グリル２に設けられ、２枚の第１係合爪２２ｂ１、２２ｂ２の間にリブ３３ａ、３３ｂを挟み込んで吸込グリル２を位置決めする形態について説明したが、本発明はこれに限定されない。たとえば、２枚の第１係合爪２２ｂ１、２２ｂ２を立設部３３ｃの外側になるように、第２係合爪２２ａを立設部３３ｃの内側になるように吸込グリル２に設け、かつ、リブ３３ａとリブ３３ｂは、第２係合爪２２ａを挟み込むような間隔を空けて設け、第２係合爪２２ａをリブ３３ａとリブ３３ｂとの間に差し込んで位置決めする形態であってもよい。この場合、吸込グリル２に、２枚の第１係合爪２２ｂ１と第１係合爪２２ｂ２との間隔を大きく広げて配置することができ、位置決め手段２２を用いて吸込グリル２をより安定的に直立させた状態に保持することができる。
【図面の簡単な説明】
【００３７】
【図１】実施の形態１の空気調和装置の室外機を説明するための斜視図である。
【図２】実施の形態１の空気調和装置の室外機に設けられる吸込グリルを説明するための正面図である。
【図３】図１のＩ部を拡大して、底フレームに吸込グリルを位置決めする方法を説明するための図であり、（ａ）は底フレームに対して吸込グリルを位置決めする前の状態を説明するための正面図、（ｂ）は（ａ）をＡ−Ａ位置で切断した断面図である。
【図４】図１のＩ部を拡大して、底フレームに吸込グリルを位置決めする方法を説明するための図であり、（ａ）は底フレームに対して吸込グリルが位置決めされて取り付けられた状態を説明するための正面図、（ｂ）は（ａ）をＢ−Ｂ位置で切断した断面図である。
【図５】底フレームに吸込グリルを位置決めする際の図であり、底フレームに形成された突出部と吸込グリルに設けられた位置決め手段とをケーシングの内側から見た状態を示す。
【図６】図１のII部を拡大して、吸込グリルに設けられた係止手段を説明するための図であり、（ａ）はケーシング内に収められた熱交換器の伝熱管の間に係止手段を嵌め込んだ状態を説明するための斜視図、（ｂ）は熱交換器の伝熱管の間に係止手段を嵌めこむ際の係止手段の状態を説明するための図、（ｃ）は熱交換器の伝熱管の間に係止手段を嵌め込んだ状態を説明するための図である。
【符号の説明】
【００３８】
２  吸込グリル
２１  吸込グリル本体
２２  位置決め手段
２２ａ  第２係合爪（爪）
２２ｂ１、２２ｂ２  第１係合爪（爪）
２３  係止手段
３  ケーシング
３３  底フレーム
３３ａ、３３ｂ  リブ（突出部）
３３ｃ  立設部
１００  空気調和装置の室外機
【図１】
2009145018.tif 000003
【図２】
2009145018.tif 000004
【図３】
2009145018.tif 000005
【図４】
2009145018.tif 000006
【図５】
2009145018.tif 000007
【図６】
2009145018.tif 000008